(57)【要約】      （修正有）【課題】一枚の紙を切り抜き、折り曲げ、組み立てることにより製作でき、任意の複数の図形や文字から成る装飾を有する包装容器を提供する。【解決手段】紙製包装容器は、一枚の紙を折り曲げることにより全体が形成され、紙は底板部分、３以上の側板部分、側板部分の数と同数の蓋板部分、蓋板部分に結合した装飾板部分、折り込み部分及び組み立て用差し込み部分から構成され、包装容器は、底板部分と側板部分により形成された多角柱状の胴部と、蓋板部分により形成され胴部の上に位置する多角錘状の蓋部と、装飾板部分から形成され蓋部の頂部に位置する装飾部から構成され、装飾板が文字あるいは図形を象っている部分を有する。【選択図】図４
0003227115.tif 000002
【実用新案登録請求の範囲】
【請求項１】
紙製包装容器であって、
一枚の紙を折り曲げることにより全体が形成され、
該紙は底板部分、３以上の側板部分、該側板部分の数と同数の蓋板部分、該蓋板部分に結合した装飾板部分、折り込み部分及び組み立て用差し込み部分から構成され、
該包装容器は、該底板部分と該側板部分により形成された多角柱状の胴部と、該蓋板部分により形成され該胴部の上に位置する多角錘状の蓋部と、該装飾板部分から形成され該蓋部の頂部に位置する装飾部から構成され、
該装飾板が文字あるいは図形を象っている部分を有することを特徴とする紙製容器。
【請求項２】
紙製包装容器であって、
上記の胴部形状が三角柱状であり、上記の蓋部形状が三角錘状であり、上記の装飾板の数が３であることを特徴とする請求項１に記載の紙製包装容器。
【請求項３】
紙製包装容器であって、
上記の胴部形状が四角柱状であり、上記の蓋部形状が四角錘状であり、上記の装飾板の数が４であることを特徴とする請求項１に記載の紙製包装容器。
【請求項４】
上記の胴部形状が五角柱状であり、上記の蓋部形状が五角錘状であり、上記の装飾板の数が５であることを特徴とする請求項１に記載の紙製包装容器。
【請求項５】
上記の胴部形状が六角柱状であり、上記の蓋部形状が六角錘状であり、上記の装飾板の数が６であることを特徴とする請求項１に記載の紙製包装容器。
【請求項６】
上記の胴部形状が七角柱状であり、上記の蓋部形状が七角錘状であり、上記の装飾板の数が７であることを特徴とする請求項１に記載の紙製包装容器。
【請求項７】
上記の胴部形状が八角柱状であり、上記の蓋部形状八角錘状であり、上記の装飾板の数が８であることを特徴とする請求項１に記載の紙製包装容器。
【考案の詳細な説明】
【技術分野】
【０００１】
本考案は１枚の紙を折り畳むことによって全体が形成される紙製包装容器に関するものである。
【背景技術】
【０００２】
紙製包装容器は様々なものが提案され広く実用されている。１枚の紙を折り曲げることにより、底部分、側壁部分および蓋部分を有する容器も特許文献１に記載のものなど種々提案されている。また三角柱状のもの（特許文献２）や、六角柱状のもの（特許文献３，４）も提案されている。しかしこれらは実用性を追求したものであり実用上の機能を有さない装飾的な部分を有するものはあまりない。わずかに、特許文献５に記載の包装用容器は三角錐状の容器部分の頂部につまみ状の包装機能とは直接関係のない部分を有するが、これも装飾というよりはつまみという機能を担う部分と考えられる。  
【先行技術文献】
【特許文献】
【０００３】
【特許文献１】特開２０１６−３０６２５
【特許文献２】実公昭１４３１２
【特許文献３】実公昭５２−７０６２４
【特許文献４】実公昭６０−８１８１７
【特許文献５】意匠登録１４９３１１４
【考案の概要】
【考案が解決しようとする課題】
【０００４】
本願考案が解決しようとする課題は、贈り物などを包装する容器として単に包装機能を有するのみならず任意の図形や文字から成る装飾部を備え、装飾的美観をも有する、あるいは贈り手のメッセージを伝える機能をも有する、１枚の紙を切り抜き折り曲げ組み立てることにより製作できる包装容器を提供することである。
【課題を解決するための手段】
【０００５】
本願考案者は鋭意検討を重ねた結果、１枚の紙を所用の形状に切り抜くことにより多角柱状の胴部と多角錘状の蓋部を有する容器を作成できることを見出した。さらに蓋部を形成する蓋板部分に文字や図形を象った部分を有する装飾板部分を加えることにより、頂部に文字や図形から成る装飾を有する包装箱が製作できることを考案した。なお本考案に係る包装容器の材料は紙を想定しているが、樹脂製薄板や金属製薄板などのシート状の素材も材料として用いることができる。
【０００６】
第一の考案に係る紙製包装容器は、一枚の紙を折り曲げることにより全体が形成され、該紙は底板部分、３以上の側板部分、該側板部分の数と同数の蓋板部分、該蓋板部分に結合した装飾板部分、折り込み部分及び組み立て用差し込み部分から構成され、該包装容器は、該底板部分と該側板部分により形成された多角柱状の胴部と、該蓋板部分により形成され該胴部の上に位置する多角錘状の蓋部と、該装飾板部分から形成され該蓋部の頂部に位置する装飾部から構成され、該装飾板が文字あるいは図形を象っている部分を有することを特徴とするものである。
【０００７】
第二の考案に係る紙製包装容器は、第一の考案に係る紙製包装容器のうち、上記の胴部形状が三角柱状であり、上記の蓋部形状が三角錘状であり、上記の装飾板の数が３であることを特徴とするものである。
【０００８】
第三の考案に係る紙製包装容器は、第一の考案に係る紙製包装容器のうち、上記の胴部形状が四角柱状であり、上記の蓋部形状が四角錘状であり、上記の装飾板の数が４であることを特徴とするものである。
【０００９】
第四の考案に係る紙製包装容器は、第一の考案に係る紙製包装容器のうち、上記の胴部形状が五角柱状であり、上記の蓋部形状が五角錘状であり、上記の装飾板の数が５であることを特徴とするものである。
【００１０】
第五の考案に係る紙製包装容器は、第一の考案に係る紙製包装容器のうち、上記の胴部形状が六角柱状であり、上記の蓋部形状が六角錘状であり、上記の装飾板の数が６であることを特徴とするものである。
【００１１】
第六の考案に係る紙製包装容器は、第一の考案に係る紙製包装容器のうち、上記の胴部形状が七角柱状であり、上記の蓋部形状が七角錘状であり、上記の装飾板の数が７であることを特徴とするものである。
【００１２】
第七の考案に係る紙製包装容器は、第一の考案に係る紙製包装容器のうち、上記の胴部形状が八角柱状であり、上記の蓋部形状が八角錘状であり、上記の装飾板の数が８であることを特徴とするものである。
【考案の効果】
【００１３】
本考案に係る紙製包装容器では、装飾板に任意の形状あるいは文字を象ることができる。様々な図形を象ることができるので装飾性の高いものや個性を表現したものとすることができる。また文字を象る場合は、装飾板の数に応じた文言を付加することができる。例えば装飾板数が５の場合は「ありがとう」など、６の場合は「丹波篠山特産」など７の場合は「お仕事お疲れ様」、８の場合は「誕生日おめでとう」など、簡単なメッセージや内容物の表示ができる。さらに本考案に係る紙製容器は１枚の紙を切り抜き、折り曲げて組み立てることにより製作できるので省資源かつ低コストである。
【図面の簡単な説明】
【００１４】
【図１】実施例１に係る紙製包装容器の正面図、平面図及び底面図である。
【図２】実施例１に係る紙製包装容器の展開図である。
【図３】実施例１に係る紙製包装容器の組み立て方の説明図である。
【図４】実施例２に係る紙製包装容器の六面図である。
【図５】実施例２に係る紙製包装容器の展開図である。
【図６】実施例３に係る紙製包装容器の正面図、平面図及び底面図である。
【図７】実施例３に係る紙製包装容器の展開図である。
【図８】実施例４に係る紙製包装容器の六面図である。
【図９】実施例４に係る紙製包装容器の展開図である。
【図１０】実施例５に係る紙製包装容器の六面図である。
【図１１】実施例５に係る紙製包装容器の展開図である。
【図１２】実施例６に係る紙製包装容器の六面図である。
【図１３】実施例６に係る紙製包装容器の展開図である。
【図１４】実施例７に係る紙製包装容器の六面図である。
【図１５】実施例７に係る紙製包装容器の展開図である。
【図１６】実施例８に係る紙製包装容器の六面図である。
【図１７】実施例８に係る紙製包装容器の展開図である。
【考案を実施するための形態】
【００１５】
つぎに、本考案の実施形態を説明するが、本考案の技術的範囲を逸脱しない範囲において様々な変更や修正が可能であることは言うまでもない。
【実施例１】
【００１６】
図１は請求項５の考案の一実施例の正面図、平面図及び底面図である。紙製様相容器０は、胴部１、蓋部２、装飾部３から構成されている。図２に本実施例を１枚の紙に展開したときの展開図を示す。鎖線は折筋を示している。１−１、１−２，１−３，１−４，１−５，１−６は側板部分であり包装容器の胴部の側部の各辺となる。各側板にはそれぞれに蓋板部分２−１，２−１，２−３，２−４，２−５，２−６が繋がっており、各蓋板部分にはさらに装飾板部分３−１，３−２，３−３，３−４，３−５，３−６が繋がっている。本実施例の装飾板部分は略円形の形状を有している。側板部分１−１、１−２，１−３，１−４，１−５にはそれぞれ折り込み部分４−１，４−１１，４−２，４−３，４−４，４−５が繋がっており、折り込み部分４−２と４−４にはさらに組み立て用差し込み部分ＣとＢが繋がっている。また側板部分１−６には底板部分５と組み立て用差し込み部分Ａが繋がっている。側板部分１−１と折り込み部分４−１１の境目に切れ目Ａ′が、底板部分５には切れ目Ｂ′とＣ′がある。さらに蓋板部分２−１，２−１，２−３，２−４，２−５，２−６にはそれぞれ組み立て用差し込み部分Ｅ、Ｆ、Ｇ、Ｈ、Ｉ、Ｄが繋がっているとともに、切れ目Ｄ′、Ｅ′、Ｆ′、Ｇ′、Ｈ′、Ｉ′がある。
【００１７】
図３に、本実施例の組み立て方を示す。まず鎖線で示した折筋全てを折って折り目をつける。次に組み立て用差し込み部分Ａを切れ目Ａ′に差し込む（図３イ）。次いで折り込み部分４−１，４−３，４−５を六角柱の内側に折り込み、さらにそれらを覆うように底板部分を折り曲げ六角柱の底部を形成する。その上に折り込み部分４−２と４−４を折り曲げ、組み立て用差し込み部分ＢとＣをそれぞれ底板部分の切れ目Ｂ′とＣ′に差し込む（図３ロ）。次に蓋板部分、２−１，２−１，２−３，２−４，２−５，２−６を六角柱の内側に向かって折り曲げ、組み立て用差し込み部分Ｄ，Ｅ、Ｆ、Ｇ、Ｈ、Ｉをそれぞれ切れ目Ｄ′、Ｅ′、Ｆ′、Ｇ′、Ｈ′、Ｉ′に差し込む（図３ハ）。図３ニは完成した本実施例の斜視図である。
【実施例２】
【００１８】
実施例２に係る紙製包装容器の六面図を図４に、展開図を図５示す。本実施例は実施例と同じ請求項５に係る考案である、胴部形状が六角柱状であり、上記の蓋部形状が六角錘状であり、上記の装飾板の数が６であることを特徴とするものであるが、装飾板部分３−１，３−２，３−３，３−４，３−５，３−６が順に「丹」、「波」、「篠」、「山」、「特」、「産」の文字を象った形状を有している。これによって、本包装容器は内容物が丹波篠山の特産物であることを表示している。装飾板部分は漢字に限らず平仮名、カタカナ、アルファベット、ハングル等、任意の文字を象ったものにすることができるので、単なる装飾にとどまらず、意味のある文言を掲げることも可能である。
【実施例３】
【００１９】
実施例３に係る紙製包装容器の正面図、平面図および底面図を図６に、展開図を図７に示す。本実施例も実施例１，２と同じく請求項５に係る考案である、胴部形状が六角柱状であり、上記の蓋部形状が六角錘状であり、上記の装飾板の数が６であることを特徴とするものであるが、装飾板部分が樹木様を象った形状を有している。このように装飾板部分の形状を種々デザインすることにより装飾効果を高くすることができる。
【実施例４】
【００２０】
図８に請求項２に係る考案の一実施例の六面図を示す。本実施例は胴部形状が三角柱状であり、上記の蓋部形状が三角錘状であり、上記の装飾板の数が３であることを特徴とするものである。紙製包装容器０は、胴部１、蓋部２、装飾部３から構成されている。図９に本実施例を１枚の紙に展開したときの展開図を示す。鎖線は折筋を示している。１−１、１−２，１−３は側板部分であり包装容器の胴部の側部の各辺となる。各側板にはそれぞれに蓋板部分２−１，２−１，２−３が繋がっており、各蓋板部分にはさらに装飾板部分３−１，３−２，３−３が繋がっている。本実施例の装飾板部分３−１，３−２，３−３はそれぞれ、順に「お」、「菓」、「子」の文字を象った形状を有している。側板部分１−１、１−２，１−３にはそれぞれ折り込み部分４−１，４−１１，４−２，４−３が繋がっている。また側板部分１−３には組み立て用差し込み部分Ａが繋がっている。側板部分１−１と折り込み部分４−１１の境目に切れ目Ａ′がある。
【００２１】
本実施例を組み立てる方法は実施例１の組み立て方法とほぼ同様であるが、以下のとおりである。まず鎖線で示した折筋全てを折って折り目をつける。次に組み立て用差し込み部分Ａを切れ目Ａ′に差し込む。次いで折り込み部分４−１，４−２、４−３を三角柱の内側に折り込み互いに組み合わせて三角柱の底部を形成する。次に蓋板部分、２−１，２−１，２−３を三角柱の内側に向かって折り曲げ、図８の平面図のように組み合わせて完成する。
【実施例５】
【００２２】
請求項３に係る考案の一実施例の六面図を図１０に、展開図を図１１に示す。本実施例は胴部形状が四角柱状であり、上記の蓋部形状が四角錘状であり、上記の装飾板の数が４であることを特徴とするものである。本実施例は実施例１とほぼ同様であるが、側板部分、蓋板部分及び装飾板部分の数が４であある点が異なっている。本実施例の装飾板部分３−１，３−２，３−３，３−４は順に「Ａ」、「Ｂ」、「Ｃ」、「Ｄ」の文字を象った形状を有している。
【実施例６】
【００２３】
請求項４に係る考案の一実施例の六面図を図１２に、展開図を図１３に示す。本実施例は胴部形状が五角柱状であり、上記の蓋部形状が五角錘状であり、上記の装飾板の数が５であることを特徴とするものである。本実施例は実施例１とほぼ同様であるが、側板部分、蓋板部分及び装飾板部分の数が５であある点が異なっている。本実施例の装飾板部分３−１，３−２，３−３，３−４，３−５は順に「あ」、「り」、「が」、「と」、「う」の文字を象った形状を有している。これによって、本包装容器は、これに贈り物を包装して贈る人の感謝の気持ちを表すことができるものとなっている。
【実施例７】
【００２４】
請求項６に係る考案の一実施例の六面図を図１４に、展開図を図１５に示す。本実施例は胴部形状が七角柱状であり、上記の蓋部形状が七角錘状であり、上記の装飾板の数が７であることを特徴とするものである。本実施例は実施例１とほぼ同様であるが、側板部分、蓋板部分及び装飾板部分の数が７である。また、底部の差し込み部分と切れ目の数はそれぞれＢ，Ｃ，Ｄ並びにＢ′，Ｃ′，Ｄ′の３ずつである。本実施例の装飾板部分３−１，３−２，３−３，３−４，３−５、３−６、３−７は順に「お」、「仕」、「事」、「お」、「疲」、「れ」、「様」の文字を象った形状を有している。これによって、本包装容器は、これに贈り物を包装して贈る人のねぎらいの気持ちを表すことができるものとなっている。
【実施例８】
【００２５】
請求項７に係る考案の一実施例の六面図を図１６に、展開図を図１７に示す。本実施例は胴部形状が八角柱状であり、上記の蓋部形状が八角錘状であり、上記の装飾板の数が８であることを特徴とするものである。本実施例は実施例１とほぼ同様であるが、側板部分、蓋板部分及び装飾板部分の数が８であり、底部の差し込み部分と切れ目の数はそれぞれＢ，Ｃ，Ｄ並びにＢ′，Ｃ′，Ｄ′の３ずつである。本実施例の装飾板部分３−１，３−２，３−３，３−４，３−５、３−６、３−７，３−８は順に「誕」、「生」、「日」、「お」、「め」、「で」、「と」、「う」の文字を象った形状を有している。これによって、本包装容器は、これに贈り物を包装して贈る人の祝福の気持ちを表すことができるものとなっている。
【産業上の利用可能性】
【００２６】
本願発明は一枚の紙から製作できる簡易な包装容器であるが、様々な形状の装飾ばかりでなく、複数の任意の文字を装飾部に表示することができるので、贈り物の容器として贈る人の様々なメッセージを表現したり、内容物を表示したりすることができ、受け取る人にインパクトを与え、単なる包装容器に留まらず、贈る人と受け取る人の間の精神的交流を促進するツールともなるものである。
【符号の説明】
【００２７】
０    紙製容器
１    胴部
１−１，１−２，１−３，１−４，１−５，１−６，１−７，１−８    側板部分
２    蓋部
２−１，２−１，２−３，２−４，２−５，２−６，２−７、２−８    蓋板部分
３    装飾部
３−１，３−２，３−３，３−４，３−５，３−６，３−７，３−８    装飾板部分
４−１，４−１１，４−２，４−３，４−４，４−５，４−６，４−７    折り込み部分
５    底板部分
Ａ，Ｂ，Ｃ，Ｄ，Ｄ，Ｆ，Ｇ，Ｈ，Ｉ、Ｊ、Ｋ、Ｌ      組み立て用差し込み部分
Ａ′、Ｂ′、Ｃ′Ｄ′、Ｅ′、Ｆ′、Ｇ′、Ｈ′、Ｉ′、Ｊ′、Ｋ′、Ｌ′    切れ目
【図１】
0003227115.tif 000003
【図２】
0003227115.tif 000004
【図３】
0003227115.tif 000005
【図４】
0003227115.tif 000006
【図５】
0003227115.tif 000007
【図６】
0003227115.tif 000008
【図７】
0003227115.tif 000009
【図８】
0003227115.tif 000010
【図９】
0003227115.tif 000011
【図１０】
0003227115.tif 000012
【図１１】
0003227115.tif 000013
【図１２】
0003227115.tif 000014
【図１３】
0003227115.tif 000015
【図１４】
0003227115.tif 000016
【図１５】
0003227115.tif 000017
【図１６】
0003227115.tif 000018
【図１７】
0003227115.tif 000019